(57)【要約】【課題】話題分割結果に対するユーザの評価をフィードバックして学習することで、より確度の高い話題分割を可能にする。【解決手段】クライアント端末１の動画像話題分割モジュール１１は、動画像ファイル５２を話題分割して話題分割結果５３をユーザに提示する。フィードバック情報収集モジュール１２は、話題分割結果５３に対してユーザ５０が指示した訂正をフィードバック情報として収集し、これをセンタサーバ３へ送信する。センタサーバ３のフィードバック情報統合モジュール３１は、各クライアント端末１から取得したフィードバック情報を統合して統合フィードバック情報を生成する。再学習モジュール３２は、統合フィードバック情報に基づいて、動画像話題分割のための学習モデルを再構築する。再学習モデル配信モジュール３３は、この再学習モデルをクライアント端末１へ配信する。【選択図】図１
2008046729.tif 000002
【特許請求の範囲】
【請求項１】
動画像における話題分割点を決定する動画像話題分割装置において、
動画像データから所定区間ごとに特徴量を抽出する特徴量抽出手段と、
動画像データの特徴量と話題分割点との関係が登録された学習モデルと、
前記特徴量および学習モデルに基づいて動画像の話題分割点を決定する話題分割手段と、
前記話題分割の結果を出力する話題分割結果出力手段と、
前記話題分割結果に対するフィードバック情報を入力するフィードバック情報入力手段と、
前記フィードバック情報に基づいて学習モデルを再構築する学習モデル再構築手段と、
前記再構築された学習モデルで前記学習モデルを更新する学習モデル更新手段とを含むことを特徴とする動画像話題分割装置。
【請求項２】
同一の動画像データに対する複数のフィードバック情報を統合して統合フィードバック情報を生成するフィードバック情報統合手段を含み、
前記学習モデル再構築手段は、前記統合フィードバック情報に基づいて学習モデルを再構築することを特徴とする請求項１に記載の動画像話題分割装置。
【請求項３】
前記特徴量抽出部、学習モデル、話題分割点決定手段、話題分割結果出力手段およびフィードバック情報入力手段を含むクライアント端末を複数備え、
前記学習モデル再構築手段、学習モデル更新手段およびフィードバック情報統合手段を含むセンタサーバを備え、
前記各クライアント端末とセンタサーバとがネットワークを介して接続され、
前記フィードバック情報統合手段は、各クライアント端末のフィードバック情報入力手段から入力されたフィードバック情報を統合し、
前記学習モデル更新手段は、統合フィードバックに基づいて再構築された学習モデルをネットワーク経由で各クライアント端末へ配信することを特徴とする請求項２に記載の動画像話題分割装置。
【請求項４】
前記センタサーバが、
クライアント端末に配信済みの学習モデルを構築する際に利用した学習データを記憶する学習データ記憶手段を含み、
前記学習モデル再構築手段は、配信済み学習モデルの学習データおよび前記統合フィードバック情報に基づいて学習モデルを再構築することを特徴とする請求項３に記載の動画像話題分割装置。
【請求項５】
前記各クライアント端末が、ユーザの属性情報をセンタサーバへ通知する属性通知手段を含み、
前記センタサーバが、各クライアント端末から通知された属性情報に基づいて各ユーザを複数のグループに分類する手段を含み、
前記フィードバック情報統合手段は、同一グループのユーザから受信したフィードバック情報同士を統合し、
前記学習モデル再構築手段は、グループごとに生成された統合フィードバック情報に基づいて学習モデルをグループごとに再構築し、
前記学習モデル更新手段は、グループごとに再構築された学習モデルを、対応するクライアント端末へそれぞれ配信することを特徴とする請求項３または４に記載の動画像話題分割装置。
【発明の詳細な説明】
【技術分野】
【０００１】
本発明は、学習モデルに基づいて動画像を話題の切り替わり点で自動的に分割する動画像話題分割装置に係り、特に、話題分割結果に対してユーザが指摘した訂正内容をフィードバックして学習モデルを更新する機能を備えた動画像話題分割装置に関する。
【背景技術】
【０００２】
動画像コンテンツを話題の切り替わり点で自動的に分割する話題分割システムが知られている。
【０００３】
特許文献１には、ビデオデータにおける音声データを文字列としてテキスト化し、これにより得られた文字列を元に共通の話題が継続するセグメントを抽出し、各セグメントにおける話題と各セグメント間の入れ子構造とを同定してユーザに提示するビデオデータ検索支援方法が記載されている。
【０００４】
このビデオデータ検索支援方法では、テレビの文字放送のように既に文字情報が付加されている場合には音声データの文字列へのテキスト化を省略できるが、それ以外の場合には音声認識装置やキーボードなどを用いて音声データを文字列へテキスト化することが必要となる。
【０００５】
特許文献２では、動画像に含まれる個々のショットから抽出した視覚的・聴覚的特徴量に基づいて、話題分割点が含まれるショットを識別することにより、動画像の話題分割を行う技術が開示されており、ここでは、学習データに基づいて予め識別器が生成され、この識別器を利用して話題分割が行われる。
【特許文献１】特開平５−３４２２６３号公報
【特許文献２】特開２００５−１５０９４３号公報
【発明の開示】
【発明が解決しようとする課題】
【０００６】
特許文献１に開示された技術では、テレビの文字放送のようにテキスト情報が元々存在していればテキスト化を省略できる。しかしながら、通常のテレビ放送のビデオデータやホームビデオで録画した画像などのパーソナルコンテンツのように、テキスト情報が存在しない場合には、共通の話題が継続するセグメントを抽出する前に、ビデオデータの音声データをテキスト化してテキスト情報を生成しなければならない。音声データのテキスト化には、作業者が音声を聞き取ってテキスト化する、いわゆる「書き起こし」という手法、音声データの元原稿から作業者がキーボードなどで入力する手法、音声データを音声認識装置に入力してテキスト情報を生成する手法などが用いられる。
【０００７】
しかしながら、「書き起こし」や元原稿から作業者が入力する手法は、人手によるものであるため手間が掛かり、膨大な量の動画像データに適用することは困難である。また、音声認識装置を用いる手法は、使用する音声認識装置の精度や音声の質によって認識エラーが発生して後段の話題分割の精度が影響されるという問題がある。
【０００８】
特許文献２に開示された技術では、動画像データのテキスト化処理を必要としないため、特許文献１のような問題は発生せず、効率的に話題分割を行うことが可能である。しかしながら、特許文献２では、動画像内のショットに話題分割点が含まれるか否かを判断する「識別器」の結果が、必ずしもユーザの意図や嗜好に適合しないという問題がある。
【０００９】
動画像における「話題」の概念は、個々のユーザの主観に依存する部分が多く、したがって、個人個人によって正解が異なる可能性が高い。このため、特許文献２のように、ユーザの嗜好によらず共通の識別器を利用してしまうと、個々のユーザの嗜好に適合した話題分割結果を得ることが困難である。
【００１０】
さらに、特許文献２では分析対象動画像の変化への適応性も問題となる。たとえば、あるニュース番組Aのアーカイブを学習データとして識別器を構築し、話題分割に利用しているという状況下で、ニュース番組Aが改編などにより、従来の番組構成から大きく変更になった場合は、従来の識別器では高い精度の話題分割結果を得ることが困難になる。この場合、識別器を再構築することが対処法の１つとなるが、高精度な識別器の構築には十分な学習データ量が必要となるため、改編されたニュース番組Aへの適応が遅くなってしまう。
【００１１】
本発明の目的は、上記した従来技術の課題を解決し、話題分割結果に対するユーザの評価をフィードバックして学習することで、より確度の高い話題分割を可能にした動画像話題分割装置を提供することにある。
【課題を解決するための手段】
【００１２】
上記した目的を達成するために、本発明は、動画像における話題分割点を決定する動画像話題分割装置において、以下のような特徴を有する。
【００１３】
(1)動画像データから所定区間ごとに特徴量を抽出する特徴量抽出手段と、動画像データの特徴量と話題分割点との関係が登録された学習モデルと、前記特徴量および学習モデルに基づいて動画像の話題分割点を決定する話題分割手段と、前記話題分割の結果を出力する話題分割結果出力手段と、前記話題分割結果に対するフィードバック情報を入力するフィードバック情報入力手段と、前記フィードバック情報に基づいて学習モデルを再構築する学習モデル再構築手段と、前記再構築された学習モデルで前記学習モデルを更新する学習モデル更新手段とを含むことを特徴とする。
【００１４】
(2)同一の動画像データに対する複数のフィードバック情報を統合して統合フィードバック情報を生成するフィードバック情報統合手段を含み、学習モデル再構築手段が、統合フィードバック情報に基づいて学習モデルを再構築することを特徴とする。
【００１５】
(3)特徴量抽出部、学習モデル、話題分割点決定手段、話題分割結果出力手段およびフィードバック情報入力手段を含む複数のクライアント端末と、学習モデル再構築手段、学習モデル更新手段およびフィードバック情報統合手段を含むセンタサーバとをネットワークで接続し、フィードバック情報統合手段は、各クライアント端末のフィードバック情報入力手段から入力されたフィードバック情報を統合し、学習モデル更新手段は、統合フィードバックに基づいて再構築された学習モデルをネットワーク経由で各クライアント端末へ配信することを特徴とする。
【００１６】
(4)センタサーバが、クライアント端末に配信済みの学習モデルを構築した際に利用した学習データを記憶する学習データ記憶手段を含み、学習モデル再構築手段は、配信済み学習モデルの学習データおよび統合フィードバック情報に基づいて学習モデルを再構築することを特徴とする。
【００１７】
(5)各クライアント端末が、ユーザの属性情報をセンタサーバへ通知する属性通知手段を含み、センタサーバが、各クライアント端末から通知された属性情報に基づいて各ユーザを複数のグループに分類する手段を含み、フィードバック情報統合手段は、同一グループのユーザから受信したフィードバック情報同士を統合し、学習モデル再構築手段は、グループごとに生成された統合フィードバック情報に基づいて学習モデルをグループごとに再構築し、学習モデル更新手段は、グループごとに再構築された学習モデルを、対応するクライアント端末へそれぞれ配信することを特徴とする。
【発明の効果】
【００１８】
本発明によれば、以下のような効果が達成される。
【００１９】
(1)動画像を特徴量に基づいて話題分割するための学習モデルを、話題分割の結果に対してユーザが入力したフィードバック情報に基づいて再構築し、再構築された学習モデルに基づいて既存の学習モデルを更新するようにしたので、話題分割の確度を漸次に向上させることができるようになる。
【００２０】
(2)複数のフィードバック情報を一つのフィードバック情報に統合し、統合されたフィードバック情報（統合フィードバック情報）に基づいて学習モデルを再構築するようにしたので、複数のフィードバック情報が反映され、偏りの少ない学習モデルを再構築できるようになる。
【００２１】
(3)複数のクライアント端末から送信されたフィードバック情報を一つのフィードバック情報に統合し、統合されたフィードバック情報（統合フィードバック情報）に基づいて各クライアント端末の学習モデルを再構築するようにしたので、複数のユーザからのフィードバック情報が反映され、偏りの少ない学習モデルを再構築できるようになる。
【００２２】
(4)学習モデル再構築手段が、配信済み学習モデルの学習データおよび統合フィードバック情報に基づいて学習モデルを再構築するようにしたので、統合されたフィードバック情報が少ない場合でも、偏った学習モデルが構築されてしまうことを防止できる。
【００２３】
(5)複数のユーザから送信されるフィードバック情報を各ユーザの属性ごとに統合して学習モデルを再構築し、対応するユーザの学習モデルとして利用するようにしたので、ユーザの属性を反映した動画像話題分割が可能になる。
【発明を実施するための最良の形態】
【００２４】
以下、図面を参照して本発明の最良の実施の形態について詳細に説明する。図１は、本発明に係る動画像話題分割システムの主要部の構成を示したブロック図であり、動画像話題分割装置として機能する複数のクライアント端末１と、このクライアント端末１にネットワーク２を介して接続されたセンタサーバ３とを主要な構成としている。
【００２５】
クライアント端末１において、話題分割モジュール１１は、TV信号受信機５１などから入力される動画像ファイル５２に対して話題分割処理を行い、話題分割結果５３を画面表示または印刷等により出力してユーザ５０に提示する。フィードバック情報収集モジュール１２は、話題分割モジュール１１によって提示された話題分割結果５３に対してユーザ５０が行った訂正をフィードバック情報として収集する。このフィードバック情報には、話題分割モジュール１１によって誤検出された話題分割点を解除する情報や、話題分割モジュール１１によって見逃された話題分割点を追加設定する情報などが含まれる。
【００２６】
図２は、前記話題分割モジュール１１の構成を示したブロック図であり、前記と同一の符号は同一または同等部分を表している。
【００２７】
ショット分割手段１０１は、入力された動画像ファイル５２をショット単位に分割する。ここでのショット分割処理には、例えば特開２０００−３６９６６号公報に開示されているカット点抽出技術を利用できる。ショット特徴量抽出手段１０２は、ショット分割手段１０１で分割された各ショットから、その内容を代表する特徴量を抽出する。ショットの特徴量としては、各ショットの画像の色情報、画像の動き情報、各ショットに含まれるオーディオデータの音量、オーディオの種別などが抽出される。ショット特徴量抽出手段１０２で抽出された各ショットの特徴量は、ショット自動分類手段１０３および話題分割点識別手段１０４に入力される。
【００２８】
ショット自動分類手段１０３は、ショット特徴量抽出手段１０２で抽出された特徴量に基づいて、各ショットを予め決められたショットカテゴリに分類する。ショットカテゴリは、各ショットがどのような範疇に入るものであるかを示すものであり、例えば、話題分割対象の動画像ファイル５２がニュース番組の場合、ショットカテゴリとしては「キャスタショット」、「レポートショット」、「コマーシャルショット」などを挙げることができる。本実施形態では、自動分類アルゴリズムとして、例えば「Vapnik:Statistical learning theory, A Wiley-Interscience Publication, 1998」に記載されているサポートベクタマシン（SVM）を利用できる。
【００２９】
図３は、SVMの概念を説明した図であり、SVMは、分離超平面h＊およびグレーゾーン（距離D）を有する。分離超平面h＊は自動分類の閾値であり、グレーゾーン（距離D）は、自動分類結果が比較的曖昧な領域である。
【００３０】
ショット自動分類手段１０３は、分離超平面h＊や距離Dが設定されたSVMにより、動画像ファイルの各ショットを予め決められたショットカテゴリに分類する。このとき、各ショットの特徴量の、分離超平面h＊あるいはグレーゾーンからの離間距離Dが、分類結果の確実性を示すスコアとなる。
【００３１】
図３では、縦軸を特徴量a、横軸を特徴量bとし、例えば、キャスタショットであるか否かを分類する分類器の場合、キャスタショットの特徴量の位置を「＋」、キャスタショットでないショットの特徴量の位置を「−」で示している。なお、図３では抽出する特徴量が２種a，bであるが、それ以上の場合には、それに対応した次元位置でのプロットとなるのはもちろんである。図３で「○」を付してあるように、特徴量がグレーゾーン内にあるショットは、不確実であるとして当該ショットカテゴリに分類しないようにすることができる。
【００３２】
分離超平面h＊や距離Dは、以下のようにして学習することにより得ることができる。まず、予めショットカテゴリが分かっている学習データ（動画像ファイル）を用意する。次に、この学習データをショット自動分類手段１０３のSVMに与え、各ショットカテゴリに含まれている特徴量などについて学習を行わせる。そして、この学習結果に基づいて自動分類が最適に行われるように、SVMに分離超平面h＊や距離Dのパラメータを設定する。これらのパラメータは学習モデル記憶部１３に学習モデルとして記憶され、これにより、例えば「キャスタショット」、「レポートショット」、「コマーシャルショット」であるか否かを分類するための分類器などが構築される。
【００３３】
話題分割点識別手段１０４は、連続したショットの特徴量に基づいて、話題分割点の有無を自動的に識別する。話題分割点の有無を識別するためのツールも、ショット自動分類手段１０３の場合と同様に、まず、話題分割点が含まれている一連のショット並びに話題分割点が含まれていないショットを含む学習データを用意する。そして、この学習データを話題分割点識別手段１０４の話題分割点識別アルゴリズムに与え、話題分割点が含まれている一連のショット並びに話題分割点が含まれていないショットの特徴量などについて学習を行わせ、この学習結果に基づいて話題分割点識別アルゴリズムにおけるパラメータなどを最適に設定することにより実現できる。本実施形態では、上述のSVMを話題分割点識別アルゴリズムとして利用する。
【００３４】
話題分割点決定手段１０５は、ショット自動分類手段１０３で分類されたショットカテゴリおよび話題分割点識別手段１０４で識別された話題分割点の情報に基づいて動画像ファイル５２における話題分割点を決定する。
【００３５】
以上のようにして決定された話題分割点は、話題分割結果提示手段１０６によりユーザ５０に提示される。ユーザ５０は、提示された話題分割点を参照して動画像ファイル５２から自己が希望する動画像のみを分割して取得することができる。なお、上記した話題分割に関しては、本出願人による特許出願（特開２００５−１５０９４３号公報）で詳細に説明されている。
【００３６】
図１へ戻り、前記センタサーバ３において、フィードバック情報統合モジュール３１は、各クライアント端末１から取得したフィードバック情報を収集・統合して統合フィードバック情報を生成する。この際、異なるユーザのフィードバック情報間に齟齬が発生する可能性があるため、統合時には、例えばフィードバック情報を送信した全てのユーザのうち、一定の割合（閾値）以上のユーザが与えたフィードバック情報のみを抽出するなどの手法が採用される。
【００３７】
再学習モジュール３２は、前記フィードバック情報統合モジュール３１で生成された統合フィードバック情報、ならびに、必要に応じて学習データ記憶部３０に記憶されている、各ユーザ端末１に配信済みの既存の学習モデルの学習データに基づいて、動画像話題分割のための学習モデル４０を再構築する。
【００３８】
再学習モデル配信モジュール３３は、動画像話題分割再学習モジュール３２での再学習処理の結果として得られた学習モデル４０を各クライアント端末１に配信する。この学習モデル４０は、各クライアント端末１の学習モデル記憶部１３に更新登録される。この学習モデルが配信された以降、各クライアント端末１では、更新登録された学習モデルに基づいて動画像話題分割が行われる。すなわち、ユーザ５０からのフィードバック情報が反映された学習モデルに基づいて話題分割が実行される。
【００３９】
次いで、フローチャートを参照して本実施形態の動作を詳細に説明する。図４は、本発明に係る話題分割方法の手順のうち、特にクライアント端末１の動作を示したフローチャートである。
【００４０】
ステップＳ１において、動画像ファイル５２の受信が検知されると、ステップＳ２では、この動画像ファイル５２に対して、前記動画像話題分割モジュール１１において話題分割が実施される。ステップＳ３では、話題分割結果が印刷表示または画面表示によりユーザ５０に提供される。この話題分割結果には、各ショットのサムネイルが一覧表示され、各サムネイルには、そのショットが話題分割点を含んでいるか否かの情報が付与されている。
【００４１】
ステップＳ４では、フィードバック情報がユーザ５０により入力されたか否かが判定され、入力されたフィードバック情報はフィードバック情報収集モジュール１２いより収集される。このフィードバック情報では、動画像話題分割モジュール１１により話題分割点を含まないと判定されたがユーザにより話題分割点を含むと判定されたショットや、これとは逆に動画像話題分割モジュール１１により話題分割点を含むと判定されたがユーザが話題分割点を含まないと判定したショットを指定する情報が含まれる。ステップＳ５では、このフィードバック情報がセンタサーバ３へ配信される。
【００４２】
図５は、前記センタサーバ３の動作を示したフローチャートである。ステップＳ３１において、クライアント端末１から送信されたフィードバック情報が受信されると、ステップＳ３２では、受信されたフィードバック情報が記憶される。ステップＳ３３では、フィードバック情報が十分に収集されたか否かが判定され、不十分であればステップＳ３１へ戻って上記した各処理が繰り返される。その後、フィードバック情報が十分に蓄積されたと判断されるとステップＳ３４へ進み、蓄積されているフィードバック情報が、前記フィードバック情報統合モジュール３１において統合される。
【００４３】
図６は、各クライアント端末１から受信したフィードバック情報を統合して統合フィードバック情報を生成する方法を模式的に表現した図である。
【００４４】
各クライアント端末１からは、動画像話題分割モジュール１１で識別されたショット（ショットID）ごとに、当該動画像話題分割モジュール１１による話題分割結果を訂正する情報が登録されている。本実施形態では、動画像話題分割モジュール１１により話題分割点を含まないと判定されたがユーザにより話題分割点を含むと判定されたショットには記号「○」が、話題分割モジュール１１により話題分割点を含むと判定されたがユーザにより話題分割点を含まないと判定されたショットには記号「X」が、ユーザにより訂正されなかったショットには記号「−」が、それぞれ付与されている。
【００４５】
前記統合モジュール３１は、記号「○」が所定の割合（例えば、過半数）を占めているショットに関しては、前記動画像話題分割モジュール１１の判定結果にかかわらず話題分割点に設定する。図示した例では、ショットID[0001]，[0xxx]の各ショットは話題分割点を含むショットに設定される。これに対して、記号「×」が所定の割合を占めているショットに関しては、前記話題分割モジュール１１の判定結果にかかわらず話題分割点の設定を解除する。図示した例では、ショットID[0002]，[0003]の各ショットは話題分割点を含まないショットに設定される。
【００４６】
なお、全てのユーザが全てのショットに対してフィードバック情報を提供することは考えにくい。そこで、フィードバック情報が十分に得られなかったショット、すなわち記号「−」が所定の割合（例えば、過半数）を占めているショットに関しては、話題分割モジュール１１の判定結果が正しかったものとして、その判定結果を採用する。
【００４７】
図５へ戻り、ステップＳ３５では、前記再学習モジュール３２において、統合フィードバック情報に基づいて学習モデルが再構築される。すなわち、前記統合フィードバック情報により話題分割点が新たに定義された動画像ファイルをSMVに与え、各ショットに含まれている特徴量などについて再学習を行わせる。そして、この学習結果に基づいて自動分類が最適に行われるように分離超平面h＊や距離Dのパラメータが再構築される。ステップＳ３６では、再構築された学習モデル４０が再学習モデル配信モジュール３３により各クライアント端末１へ配信される。
【００４８】
図４のフローチャートへ戻り、各クライアント端末１は、前記センタサーバ３から配信された学習モデルをステップＳ６で受信すると、ステップＳ７では、この学習モデルが学習モデル記憶部１３に更新登録される。これ以後、各クライアント端末１の話題分割モジュール１１では、更新された学習モデルの分離超平面h＊および距離Dに基づいて話題分割が行われる。
【００４９】
なお、上記した実施形態では、学習モデルを統合フィードバック情報に基づいて再構築するものとして説明したが、統合フィードバック情報の量が十分でない場合には、学習データ記憶部３０に記憶されている過去の学習データ、すなわち既存の学習モデルを構築する際に利用した学習データと合わせて再学習を行うようにしても良い。その際、過去の学習データの量がフィードバック情報の量と比べて圧倒的に多くなり、結果として再学習の効果が減少することが予期される場合には、過去の学習データの中から古い学習データを取り除いた上で再学習を行うなどにより、フィードバック情報を強く再学習結果に反映させるようにすることが望ましい。
【００５０】
さらに、SVMの再学習方法としては、統合フィードバック情報（ならびに過去の学習データ）の中から、SVMの分離超平面の近傍に分布するショットのみを抽出してSVMを再学習する方法などを採用することにより、より効率的かつ高精度な結果を得ることができる。
【００５１】
図７は、本発明の第２実施形態に係る動画像話題分割装置のブロック図であり、前記と同一の符号は同一または同等部分を表している。本実施形態では、ユーザを嗜好などの属性に応じてグループ分けし、グループごとに学習モデルを生成するようにした点に特徴がある。
【００５２】
例えば、スポーツ好きなユーザであれば、ニュース番組のスポーツコーナー内の個々の話題を別々に見たいと思う傾向がある。これに対して、スポーツにあまり興味のないユーザであれば、スポーツコーナーをまとめて１つの話題として扱ってもよいと考える傾向がある。このような状況に対応するため、本実施形態では異なる嗜好のユーザを別グループに分類してフィードバック情報をグループごとに統合し、グループごとに学習モデルを再構築するようにしている。
【００５３】
図７において、クライアント端末１の属性通知モジュール１４は、ユーザの嗜好（例えば、好みの番組、好みのスポーツなど）、年齢、性別といった各ユーザに固有の属性情報をセンタサーバ３へ通知する。これらの属性情報は、予めユーザ５０によってクライアント端末１に登録される。
【００５４】
センタサーバ３のユーザ分類モジュール３４は、各クライアント端末１から通知された属性情報に基づいて各ユーザを複数のグループに分類する。前記フィードバック情報統合モジュール３１は、同一グループのユーザから受信したフィードバック情報同士を統合して統合フィードバックを生成する。前記再学習モジュール３２は、グループごとに生成された統合フィードバック情報に基づいて、学習モデルをグループごとに再構築する。前記再学習モデル配信モジュール３３は、グループごとに再構築された学習モデルを、対応するクライアント端末１へそれぞれ配信する。
【図面の簡単な説明】
【００５５】
【図１】本発明に係る動画像話題分割システムの構成を示したブロック図である。
【図２】動画像話題分割モジュールの構成を示したブロック図である。
【図３】SVMの概念の説明図である。
【図４】クライアント端末の動作を示したフローチャートである。
【図５】センタサーバの動作を示したフローチャートである。
【図６】統合フィードバック情報の生成方法を模式的に表現した図である。
【図７】本発明に係る動画像話題分割システムの他の実施形態のブロック図である。
【符号の説明】
【００５６】
１…クライアント端末，２…ネットワーク，３…センタサーバ，１１…動画像話題分割モジュール，１２…フィードバック情報収集モジュール，１３…学習モデル記憶部，３０…学習データ記憶部，３１…フィードバック情報統合モジュール，３２…再学習モジュール，３３…再学習モデル配信モジュール，３４…ユーザ分類モジュール，５０…ユーザ，５１…TV信号受信機，５２…動画像ファイル，５３…話題分割結果
【図１】
2008046729.tif 000003
【図２】
2008046729.tif 000004
【図３】
2008046729.tif 000005
【図４】
2008046729.tif 000006
【図５】
2008046729.tif 000007
【図６】
2008046729.tif 000008
【図７】
2008046729.tif 000009